(57)【要約】【課題】  宣伝事項その他の各種必要事項を印刷した印刷体を、容器から剥離する操作を必要とすることなく、これらの印刷体と紙片等の付着しない容器とを確実に分離廃棄することができ、使用済み容器を資源として再利用することができる鶏卵包装体の提供。【解決手段】  鶏卵の下半部を収容する個別凹部１１を備えた容器本体１と、鶏卵の上面を覆う凹部２１を備えた蓋体２とを備えた樹脂シート製の鶏卵包装用容器Ｃであって、容器本体１における各個別凹部１１に鶏卵が収容され、その上面が蓋体２で覆われた閉蓋姿勢で、その外周面全面が、内部透視可能な可撓性のある薄いフィルム４で覆われて包装されている構成としたもの。【選択図】        図４
0003115382.tif 000002
【実用新案登録請求の範囲】
【請求項１】
鶏卵の下半部を収容する複数の個別凹部１１を備えた容器本体１と、鶏卵の上面を覆う凹部２１を備えた蓋体２とを備えた樹脂シート製の鶏卵包装用容器Ｃの、容器本体１における各個別凹部１１に鶏卵が収容され、その上面が蓋体２で覆われた閉蓋姿勢で、その外周面全面が、内部透視可能な可撓性のある薄いフィルム４で覆われて包装されている鶏卵包装体。
【請求項２】
可撓性のある薄いフィルム４が、鶏卵の商品名や生産者名その他の宣伝事項や必要事項を印刷したものである請求項１に記載の鶏卵包装体。
【考案の詳細な説明】
【技術分野】
【０００１】
本考案は、鶏卵包装用容器の容器本体に形成してある鶏卵収容凹部に、鶏卵を４個なり６個なり１０個なり、或いは１５個なり２０個なり、その他所要個数を収容させて包装してある鶏卵包装体に関するものである。
【背景技術】
【０００２】
現在、これらの鶏卵包装用の容器は、主としてポリエチレンテレフタレート（ＰＥＴ）樹脂のシート素材を使用して、周知の圧空成形手段や真空成形手段等の加熱成形手段により成形された鶏卵包装用容器を用いて、その容器内に鶏卵を収容させ適宜の手段で封緘した後販売に供されていることは広く一般に知られていて周知である。
【０００３】
また、この種の鶏卵包装用容器にあっては、大別すると、容器本体とその上面を覆う蓋体とが一体的に形成されていて、容器本体に対し蓋体を折り曲げ部から折り曲げて容器本体の上に重ね合わせて鶏卵の上方を覆わせる方式のものと、容器本体と蓋体とが別体として個々に形成されていて、容器本体の上に蓋体を重ね合わせて鶏卵の上方を覆わせる方式のものとがある。この点についても一般に周知である。本考案が対象とする容器は、この何れの方式のものであってもよい。
【０００４】
而して、これらの鶏卵包装容器の封緘手段としては、前者の容器本体と蓋体とが一体的に形成されている容器の場合は、遊端側に突出形成させてある重ね合わせ用接合縁をスポット加熱溶着するとか、同重ね合わせ用接合縁の外周面に、片面に接着剤を塗布した粘着テープを側面視横Ｕ字形に折り曲げて接着させるとかの封緘手段が採られている。また、後者の容器本体と蓋体とが別体に形成されている容器の場合は、四周に突出形成させた重ね合わせ用接合縁をスポット加熱溶着するとか、ステープラー止めするとかの手段で封緘されている。また、他の封緘手段としては、接合縁の対向面に互いに嵌合する雌雄の突起を形成して相対嵌合させる手段を用いたものもある。（特許文献１）
【０００５】
他方、この種の鶏卵包装容器にあっては、参考までに示した図１０に見られるように、多くの場合、蓋体２の天板２Ａの外表面に形成した広い面積のラベル貼付面を利用して、鶏卵の商品名や商品の写真図形、生産者、生産日または賞味期限その他の宣伝事項や必要事項を印刷したラベル紙０５（図形は省略）を、背面側に予め塗布させた接着剤を介して接着させてある。これらの事項についても一般に周知されている。このラベル紙の剥離を容易にするための一つの手段についても既に提案済みであり、公知になっている。（特許文献２）
【０００６】
他方、鶏卵包装用容器内に鶏卵を内装して出荷する市場への流通期間内に、或いは購買者が購入した後の開封時期までに、容器の重ね合わせ用接合縁間の空間を通じて蠅や小さな虫が容器内に入り込むことがあり、購買者による容器の開封時に生きた虫やその死骸が出てきて多大な不快感と不衛生感を与えることがあった。そこで、このような事態の生じることを根本的に解決する手段として、容器の凹部の外周縁部分と周縁接合縁の基部との境界部分に、全周にわたって互いに嵌合する凸リブとリブ受け凹部を形成して防虫することと、同時に、容器内を密閉状態とすることによって外部との空気移動を阻止することにより、生卵の鮮度保持をさせるという画期的な鶏卵容器をも本考案者は開発した。このことも既に公知になっている。（特許文献３）
【特許文献１】特開２０００−７０７１号公報
【特許文献２】特開２００４−７５１８２号公報
【特許文献３】特開２００２−１７９１７１号公報
【考案の開示】
【考案が解決しようとする課題】
【０００７】
然るところ、これらのような各種の封緘手段やラベル紙の接着手段を用いた現行形態の鶏卵を内装した包装体にあっては、内部の収容鶏卵を取り出して使用した後における容器の廃棄に当たって、蓋体の外表面に接着されている前記のラベル紙を丁寧に剥離して、燃えるゴミとしてのラベル紙とリサイクル再生素材としての樹脂容器とを分離分別して廃棄するのが原則となっている。しかしながら、接着剤によって接着されたラベル紙の完全な剥離が極めて面倒で手間がかかることから、ラベル紙が剥がされることなく、または充分には剥がされることなく、ラベル紙の全部または一部が付着したままの状態で廃棄されることが多い。このことは、廃棄された容器を資源の有効利用の観点から回収して再利用の資源として利用するのには適さないというのが現状である。
【０００８】
ここにいう回収された廃棄容器が、再利用資源として適さないことの主要な理由の一つが、例えばＰＥＴ樹脂素材とは全く異質の紙素材で形成されたラベル紙が容器に付着したままであるため、純度の高いＰＥＴ樹脂の再生素材を得ることが困難であるという点にある。また、廃棄容器の回収後に、回収容器からラベル紙をほぼ完全に除去するには、多大な人手と手間を要することとなり、経済性の観点からもその解決が望まれている。
【０００９】
そこで、本考案は、このような観点から、最も難点である容器の廃棄時に樹脂容器からラベル紙を確実に除去して廃棄するという動作の必要性そのものを根本的に解消し、かつ不用なものとし、容器の廃棄時には容器それ自体のみを、ラベル紙剥離操作のような作業やそれに類する一切の作業を必要とすることなく、単に、再資源素材として廃棄すればよいようにした鶏卵包装体をここに提供するものである。
【００１０】
換言すると、鶏卵の販売に必要な宣伝事項その他の各種必要事項を印刷した印刷体を、容器とは非接着状態のものとし、かつ、容器との分離が自然にできる形態のものとしておくことによって、容器からの鶏卵の当初の取り出し時に、印刷体の包装を解いて容器と分離して廃棄することができるようにし、容器からの鶏卵の取り出し使用後または取り出し別置き後に、不用物の付着していない容器のみを分別廃棄して資源としての再利用を確実に図ることができるようにした鶏卵包装体を開発することができたので、ここに提供しようとするものである。
【課題を解決するための手段】
【００１１】
該目的を達成するために講じた本考案にかかる鶏卵包装体の構成を実施例説明に用いた符号を利用して説明すると、鶏卵の下半部を収容する複数の個別凹部１１を備えた容器本体１と、鶏卵の上面を覆う凹部２１を備えた蓋体２とを備えた樹脂シート製の鶏卵包装用容器Ｃであって、容器本体１における各個別凹部１１に鶏卵が収容され、その上面が蓋体２で覆われた閉蓋姿勢で、その外周面全面が、内部透視可能な可撓性のある薄いフィルム４で覆われて包装されている構成としたものである。
【００１２】
ここにいうところの内部透視可能な可撓性のある薄いフィルム４とは、通常一般に知られているラップフィルムが好ましい。この薄いフィルム４には、予め必要な図柄やその他各種の鶏卵情報等を前もって印刷してあるものを使用する。バーコードのような、変形することが好ましくない印刷部分は、鶏卵容器の上面に位置するようにして包装するのがよい。また、印刷面はフィルム４の背面側に正背逆形に印刷して表面から正しく視認できるようにしておくことにより、印刷面が直接手に触れないようにしておくことにより、印刷図形等の損傷を防止できるようにしておくのが好ましい。しかしながら、フィルム４の表面側に印刷面を形成してあるものとしても当然使用可能である。
【考案の効果】
【００１３】
本考案にいうところの鶏卵包装体は上記の構成としたものであって、容器本体の個々の鶏卵収容凹部に鶏卵を収容し、その上面を蓋体で覆って閉蓋状態とした鶏卵内装容器を、その外周面全面を内部透視可能な可撓性のある薄いフィルムで覆って包み込むことによって封緘させてあるもの、換言すると、鶏卵内装容器全体を薄いフィルムで包み込んで包装してあるので、従来から長年行われてきた鶏卵包装用容器そのものを粘着材塗布テープやスポット溶着その他の各種の接合手段によって接合するという封緘手段とは全く異なり、内装鶏卵を取り出す前に、薄いフィルムの包装を開いてまたは破って、フィルムは燃えるゴミとしてそのまま廃棄し、鶏卵を適宜取り出して使用するか、冷蔵庫内等の所要箇所に取り出して別置きする。鶏卵全部の使用後か取り出した後には、ラベル紙の剥離のような手数を全くかけることなく、異物の付着していない容器のみを直ちに再生回収素材として廃棄することができる。このようにして廃棄された容器は、異物が付着していないので、そのまま再生用の素材として使用することができるという顕著な効果を有するに至ったのである。
【００１４】
また、本考案にいうところの鶏卵包装体は、鶏卵内装容器を、その外周面全面を内部透視可能な可撓性のある薄いフィルムで覆って包み込んであるので、容器内に蠅や小さな虫が入り込むことがなく、鶏卵を衛生的に保持させることができ、また、容器内を密閉状態に維持させておくことができるので、内装卵の鮮度を長く保持させておくことができるという効果も同時に期待できる。更には、このように鶏卵内装容器の外周面全面を薄いフィルムで覆って包み込んであるため、包み込むフィルムが薄いものであっても包み込み後の包装状態にあっては、包装したフィルムが容器の補強体としての作用を果たすので、鶏卵容器そのものを薄い素材で形成することも可能となるという効果も合わせて期待することができる。
【００１５】
更に言及すれば、現行従来品のように容器の外周部にテープ止めやスポットウエルダー止めその他の手段による封緘のための接合縁を突出形成しておく必要性がないので、その分容器形成素材を小さいものとして素材の有効利用を図ることができる利点があり、前記素材の薄物化と相俟って、容器素材のコストダウンを図ることができるという利点も更に期待できる。また、容器の製造業者にあっては、包装リサイクル法による製造者負担金の軽減化をも図ることができるという利点をも有するものである。
【考案を実施するための最良の形態】
【００１６】
以上説明したように、多数の利点を有する鶏卵包装体について、別紙の実施例図面に基づいて具体的に説明する。
【実施例】
【００１７】
図１〜４は本考案の第１実施例を説明する鶏卵包装用容器とその包装体について示したもので、図１は開蓋状態とした鶏卵内装容器に対する包装手段を示した斜視図、図２は同容器の閉蓋状態の平面形状と包装フィルムとの関係を示した平面図、図３は同容器の包装状態の右側面と包装フィルムとの関係を説明する右側面図、図４は同容器の包装完了状態を示した右側面図である。
【００１８】
該第１実施例に示した鶏卵包装用容器Ｃそれ自体は、図１の下側に示した容器本体１にみられるように、鶏卵収容用の個別凹部１１，１１…を、２列、５個宛、合計１０個の鶏卵を個別に収容させるようにしたものであり、図１の上側に示した蓋体２はその条法を覆う一連の空間２１を備え、図１の背面側に位置する折り畳み自在としたヒンジ部３によって連結されている。しかしながら、この容器本体１に形成されている鶏卵収容用の個別凹部１１は、前後２列、左右３個、合計６個形成してある容器や、前後２列、左右４個、合計８個の容器や、前後２列、左右６個、合計１２個形成してある容器や、前後３列、左右５個、合計１５個、前後４列、左右５個、合計２０個の凹部を形成してある容器等各種のものがある。
【００１９】
前記鶏卵包装用容器Ｃにおける容器本体１に形成された各個別凹部１１、１１…に鶏卵をそれぞれ収容した後、ヒンジ部３を介して容器本体１上に蓋体２を折り畳んでその上面全体を覆わせる。このとき蓋体２が開くのを防止するために必要であれば、蓋体２と容器本体１との長手方向両端の隅角部に形成してある仮止め用の係合突起５ａと突起受け部５ｂとを相対嵌合させておけばよい。言うまでもなく、これらの仮止め用係合突起５ａと突起受け部５ｂとは、後述する図５や図６乃至図８の第２実施例や第３実施例に示したように容器の外周部分に嵌合用突出リブ１２とその受け入れ用嵌合凹部２２とを備えた容器Ｃのように、これらの嵌合用突出リブ１２と嵌合凹部２２とを相対嵌合させることによって容器本体１に対する蓋体２の自然解放を防止できるようにした容器のにあっては、形成の必要はない。
【００２０】
このようにして、鶏卵を収容させて閉蓋した鶏卵内装容器を包み込む薄いフィルム４としては、一般家庭でも使用されている薄膜状のラップフィルムを使用する。このフィルム４で鶏卵内装容器を包装するには、図２，３に示したように鶏卵内装容器の平面形状よりも広幅で長さも長いフィルム４を使用し、より詳しくは、フィルム幅は、容器外周面長さの１．２〜１．４倍程度のもの、換言すると、容器外周面長さ＋容器平面幅の２分の１〜全幅に等しい程度の長さとし、容器長さ方向のフィルム長さは、容器長さの鶏卵収容凹部１個〜１．５個分の長さが長手方向両側に余る程度のもの、換言すると、容器の両側においてフィルムを容器上下幅の略中間箇所で重ね合わせて、その重ね合わせ部分を下方に折り畳んで容器の長手方向側面に貼り合わせ可能な程度から、その先端を容器下方にまで巻き込み可能な程度の長さとする。
【００２１】
このような面積をもつフィルム４を、容器の上方に配置し、先ず容器の長さ方向の一辺（便宜上符号を付して説明すると）４ａを降下させて容器の下方に巻き込んで容器の下面に、フィルム４自体の粘着力で仮付けし、続いて他辺４ｂを同様に降下させて容器の下方に巻き込み、先行巻き込み辺４ａ上に接当させて自己接着力によって接着させる。この操作によって略筒状に残された長辺側の両端部４ｃ，４ｄを、一旦略平坦状態として接着させると同時に下方に向けて折り曲げ容器の側面に当て付けて接当面のフィルムと接着させる。このようにしてフィルム４で鶏卵内装容器の全面を覆って密閉包装し、鶏卵包装体を得る。
【００２２】
この第１実施例として示した容器Ｃ、並びに後述する各実施例の容器Ｃは、何れも長年にわたって必須形状とされてきた鶏卵収容部の外周部に、テープ止めやスポットウエルダー止め等のための広幅の封緘用突出接合縁（フランジ部）を突出形成しておく必要がないので、接合縁（フランジ部）の突出部分を可及的に小さい幅のものとすることができるので、容器全体の形状を小さく形成してある。
【００２３】
このようにして、鶏卵内装容器Ｃの全周面をラップフィルム４で包み込んで密閉包装してあるので、容器の内部への小蠅や小虫の侵入を確実に防止できて鶏卵を衛生的に維持することができることのみならず、前記のように、容器内への空気の流通を阻止することができるため、鶏卵の鮮度保持にも大いに寄与するものである。この鮮度保持の検査データーは、前記特許文献３として引用した特開２００２−１７９１７１号公報において公知となっている表１に見られる通りの効果を期待することができるのである。
【００２４】
図５に示した第２実施例の鶏卵包装用容器Ｃは、容器Ｃの容器本体１側に、図において上下に２列、左右に５個、合計１０個の鶏卵収容用個別凹部１１を形成してあり、その上面を覆う蓋体２にあっても、容器本体１における各鶏卵収容用個別凹部１１との、閉蓋姿勢における対向箇所に鶏卵の上半部を個々に覆う１０個の個別覆い凹部２１を形成してある構造としたものである。また、容器本体１には前記鶏卵収容用個別凹部１１の外周部分を囲むように上面側に向かって突出する嵌合用突出リブ１２が形成され、蓋体２には閉蓋姿勢において該嵌合用突出リブ１２を受け入れて互いに嵌合する嵌合凹部２２が形成されている構造としたものである。説明の重複を避けるため、これらの嵌合用突出リブ１２とこれを受け入れる嵌合凹部２２のより具体的構造は、次の第３実施例において図面とともに説明する。
【００２５】
図６乃至図８は第３実施例について示したものであって、ここに示した鶏卵包装用容器Ｃは、鶏卵の下半部を収容する２列３個計６個の個別凹部１１形成した容器本体１と、鶏卵の上面を覆う一連の空間を有する凹部２１を備えた蓋体２とが、別体として個別に形成されている形態とした容器である。而して、ここに示した容器本体１には、前記６個の鶏卵収容用個別凹部１１の外周部分を略長方形状に取り囲むように上面側に向かって突出する嵌合用突出リブ１２を、図７のように、突出高さに高低差を付けた形態で突出形成してある形状のものとし、蓋体２には、前記凹部２１解放端側の周辺部分に、閉蓋姿勢において前記嵌合用突出リブ１２を受け入れる嵌合凹部２２が形成されている構造としたものである。
【００２６】
このような構造とした鶏卵包装用容器Ｃの容器本体１に形成された前記個別凹部１１のそれぞれに鶏卵の下半部を収容し、その上面を覆うように蓋体２を被せて、前記嵌合用突出リブ１２と嵌合凹部２２とを嵌合させる。このようにした鶏卵内装容器を、その外周面全面を内部透視可能な可撓性のある薄いフィルム４、この実施例においては、透明性のある再生資源のＰＰ樹脂によって形成した薄膜状のフィルムで、図８のように覆って密閉包装させたものである。
【００２７】
図９に示した第４実施例の容器Ｃは、容器本体１に左右２個、縦３列、合計６個の鶏卵収容個別凹部１１を縦長状に形成し、これを縦長方向の側縁部に形成した折り曲げ部３を挟んで、縦方向に延長形成した６個の鶏卵上部覆い個別凹部２１を形成した蓋体２とからなる容器である。この容器には、前記折り曲げ部３とは反対側の側縁部の、左右２個の鶏卵個別凹部１１，１１の中間部分の空白部１４に、下方に向かって凹入する突起受け部５ｂとしての丸穴が形成され、これと対向端の側縁部分２４には、この丸穴と係合する係合突起５ａとしての円柱形突起が形成されている構造としたものである。
【００２８】
第５実施例としては、図面は省略したが、以上において説明した薄い透明フィルムに宣伝事項その他の所要事項を直接薄いフィルムに印刷したものを除き、これらの所要事項の印刷は紙または同類の紙片に印刷し、これを容器の上面と包装用フィルムとの間に挟み込む形態として実施することができる。本考案の実施は、このようにしたものをも含むものである。
【００２９】
以上において本考案の代表的と思われる実施例について説明したが、本考案にいうところの包装形態並びに包装フィルムの素材等については、適宜に選択選定することができるものであって、実施例に説明したもののみに限定されるものではない。
【産業上の利用可能性】
【００３０】
本考案にいう容器は、包装体としての強度を備え、衛生上にあっても、鮮度保持にあっても優れており、しかも、容器の廃棄に当たっては、ラベル除去のような手数を全く必要とすることなく、使用済み容器を紙片の全く付着していないものとして再生素材として廃棄できるので、市場の要求に叶い、地球に優しく、資源保護につながるので、直ちに市場に受け入れられて普及すると期待される。
【図面の簡単な説明】
【００３１】
【図１】第１実施例の容器の開蓋状態の斜視図。
【図２】同開蓋状態の平面図。
【図３】図１の要部の拡大図。
【図４】図２におけるＡ−Ａ線切断端面図。
【図５】第２実施例の容器の開蓋状態を示す平面図。
【図６】第３実施例の容器の開蓋状態の平面図。
【図７】同容器の正面形状を示す説明図。
【図８】同容器の包装状態を示す正面図。
【図９】第４実施例の容器を示す開蓋状態の斜視図。
【図１０】従来例容器の開蓋状態の斜視図。
【符号の説明】
【００３２】
１  容器本体
１１  個別凹部
２  蓋体
２１  凹部
４  フィルム
【図１】
0003115382.tif 000003
【図２】
0003115382.tif 000004
【図３】
0003115382.tif 000005
【図４】
0003115382.tif 000006
【図５】
0003115382.tif 000007
【図６】
0003115382.tif 000008
【図７】
0003115382.tif 000009
【図８】
0003115382.tif 000010
【図９】
0003115382.tif 000011
【図１０】
0003115382.tif 000012